【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
第１の摩擦要素および第２の摩擦要素が係合状態であるとともに第３の摩擦要素および第４の摩擦要素が解放状態である場合に第１のギヤ段が形成され、前記第１の摩擦要素および前記第２の摩擦要素が前記解放状態であるとともに前記第３の摩擦要素および前記第４の摩擦要素が前記係合状態である場合に第２のギヤ段が形成される自動変速機の制御装置であって、
前記制御装置は、前記第１のギヤ段から前記第２のギヤ段へ変速する際、前記第１の摩擦要素を解放させるとともに前記第２の摩擦要素を所定状態に維持した状態で、前記第３の摩擦要素の係合力を上昇させ、
前記所定状態は、前記第３の摩擦要素の前記係合力を上昇させる途中で前記第２の摩擦要素が前記係合状態から前記解放状態に遷移する状態である、自動変速機の制御装置。
【請求項２】
前記自動変速機は、前記第２の摩擦要素および前記第３の摩擦要素が前記係合状態であるとともに前記第１の摩擦要素および前記第４の摩擦要素が前記解放状態である場合に第３のギヤ段が形成され、
前記制御装置は、前記第１のギヤ段から前記第２のギヤ段へ変速する際、前記自動変速機の入力軸が前記第３のギヤ段に相当する回転数に到達する前から、前記第２の摩擦要素を前記所定状態に維持する、請求項１に記載の自動変速機の制御装置。
【請求項３】
前記制御装置は、前記第１のギヤ段から前記第２のギヤ段へ変速する際、前記自動変速機の前記入力軸が前記第３のギヤ段に相当する回転数に到達する時に、前記第３の摩擦要素の前記係合力を上昇させる、請求項２に記載の自動変速機の制御装置。
【請求項４】
第１の摩擦要素および第２の摩擦要素が係合状態であるとともに第３の摩擦要素および第４の摩擦要素が解放状態である場合に第１のギヤ段が形成され、前記第１の摩擦要素および前記第２の摩擦要素が前記解放状態であるとともに前記第３の摩擦要素および前記第４の摩擦要素が前記係合状態である場合に第２のギヤ段が形成される自動変速機の制御装置であって、
前記制御装置は、前記第１のギヤ段から前記第２のギヤ段へ変速する際、前記第１の摩擦要素を解放させるとともに前記第２の摩擦要素を半係合状態に維持した状態で、前記第３の摩擦要素の係合力を上昇させる、自動変速機の制御装置。
【請求項５】
前記自動変速機は、前記第２の摩擦要素および前記第３の摩擦要素が前記係合状態であるとともに前記第１の摩擦要素および前記第４の摩擦要素が前記解放状態である場合に第３のギヤ段が形成され、
前記制御装置は、前記第１のギヤ段から前記第２のギヤ段へ変速する際、前記自動変速機の入力軸が前記第３のギヤ段に相当する回転数に到達する前から、前記第２の摩擦要素を前記半係合状態に維持する、請求項４に記載の自動変速機の制御装置。
【請求項６】
前記制御装置は、前記第１のギヤ段から前記第２のギヤ段へ変速する際、前記自動変速機の前記入力軸が前記第３のギヤ段に相当する回転数に到達する時に、前記第３の摩擦要素の前記係合力を上昇させる、請求項５に記載の自動変速機の制御装置。
【請求項７】
第１の摩擦要素および第２の摩擦要素が係合状態であるとともに第３の摩擦要素および第４の摩擦要素が解放状態である場合に第１のギヤ段が形成され、前記第１の摩擦要素および前記第２の摩擦要素が前記解放状態であるとともに前記第３の摩擦要素および前記第４の摩擦要素が前記係合状態である場合に第２のギヤ段が形成される自動変速機の制御装置であって、
前記制御装置は、前記第１のギヤ段から前記第２のギヤ段へ変速する際、前記第１の摩擦要素を解放させるとともに前記第２の摩擦要素を所定状態に維持した状態で、前記第３の摩擦要素の係合力を上昇させるよう、前記自動変速機に信号を送信し、
前記所定状態は、前記第３の摩擦要素の前記係合力を上昇させる途中で前記第２の摩擦要素が前記係合状態から前記解放状態に遷移する状態である、自動変速機の制御装置。
【請求項８】
前記自動変速機は、前記第２の摩擦要素および前記第３の摩擦要素が前記係合状態であるとともに前記第１の摩擦要素および前記第４の摩擦要素が前記解放状態である場合に第３のギヤ段が形成され、
前記制御装置は、前記第１のギヤ段から前記第２のギヤ段へ変速する際、前記自動変速機の入力軸が前記第３のギヤ段に相当する回転数に到達する前から、前記第２の摩擦要素を前記所定状態に維持する、請求項７に記載の自動変速機の制御装置。
【請求項９】
前記制御装置は、前記第１のギヤ段から前記第２のギヤ段へ変速する際、前記自動変速機の前記入力軸が前記第３のギヤ段に相当する回転数に到達する時に、前記第３の摩擦要素の前記係合力を上昇させる、請求項８に記載の自動変速機の制御装置。
【請求項１０】
第１の摩擦要素および第２の摩擦要素が係合状態であるとともに第３の摩擦要素および第４の摩擦要素が解放状態である場合に第１のギヤ段が形成され、前記第１の摩擦要素および前記第２の摩擦要素が前記解放状態であるとともに前記第３の摩擦要素および前記第４の摩擦要素が前記係合状態である場合に第２のギヤ段が形成される自動変速機の制御装置であって、
前記制御装置は、前記第１のギヤ段から前記第２のギヤ段へ変速する際、前記第１の摩擦要素を解放させるとともに前記第２の摩擦要素を半係合状態に維持した状態で、前記第３の摩擦要素の係合力を上昇させるよう、前記自動変速機に信号を送信する、自動変速機の制御装置。
【請求項１１】
前記自動変速機は、前記第２の摩擦要素および前記第３の摩擦要素が前記係合状態であるとともに前記第１の摩擦要素および前記第４の摩擦要素が前記解放状態である場合に第３のギヤ段が形成され、
前記制御装置は、前記第１のギヤ段から前記第２のギヤ段へ変速する際、前記自動変速機の入力軸が前記第３のギヤ段に相当する回転数に到達する前から、前記第２の摩擦要素を前記半係合状態に維持する、請求項１０に記載の自動変速機の制御装置。
【請求項１２】
前記制御装置は、前記第１のギヤ段から前記第２のギヤ段へ変速する際、前記自動変速機の前記入力軸が前記第３のギヤ段に相当する回転数に到達する時に、前記第３の摩擦要素の前記係合力を上昇させる、請求項１１に記載の自動変速機の制御装置。
【請求項１３】
前記自動変速機は、入力軸が動力源に連結される流体継手と、前記流体継手の出力軸に接続される変速機構とを含み、
前記自動変速機の入力軸の回転数は、前記流体継手の出力軸の回転数である、請求項１〜１２のいずれかに記載の自動変速機の制御装置。
【請求項１４】
第１の摩擦要素および第２の摩擦要素が係合状態であるとともに第３の摩擦要素および第４の摩擦要素が解放状態である場合に第１のギヤ段が形成され、前記第１の摩擦要素および前記第２の摩擦要素が前記解放状態であるとともに前記第３の摩擦要素および前記第４の摩擦要素が前記係合状態である場合に第２のギヤ段が形成される自動変速機の制御方法であって、
前記制御方法は、
前記第１のギヤ段から前記第２のギヤ段へ変速する際、前記第１の摩擦要素を解放させるとともに前記第２の摩擦要素を所定状態に維持するステップと、
前記第２の摩擦要素を前記所定状態に維持した状態で、前記第３の摩擦要素の係合力を上昇させるステップとを含み、
前記所定状態は、前記第３の摩擦要素の前記係合力を上昇させる途中で前記第２の摩擦要素が前記係合状態から前記解放状態に遷移する状態である、自動変速機の制御方法。
【請求項１５】
第１の摩擦要素および第２の摩擦要素が係合状態であるとともに第３の摩擦要素および第４の摩擦要素が解放状態である場合に第１のギヤ段が形成され、前記第１の摩擦要素および前記第２の摩擦要素が前記解放状態であるとともに前記第３の摩擦要素および前記第４の摩擦要素が前記係合状態である場合に第２のギヤ段が形成される自動変速機の制御方法であって、
前記制御方法は、
前記第１のギヤ段から前記第２のギヤ段へ変速する際、前記第１の摩擦要素を解放させるとともに前記第２の摩擦要素を半係合状態に維持するステップと、
前記第２の摩擦要素を前記半係合状態に維持した状態で、前記第３の摩擦要素の係合力を上昇させるステップとを含む、自動変速機の制御方法。